(57)【要約】【課題】本考案は、財布とスマートフォンを別途に持つ煩雑さを避けると共にスマートフォンの液晶部に擦り傷等ができ難いスマートフォン収容部を備えた財布を提供する。【解決手段】スマートフォン収容部を備えた財布１０の財布ケース体１２の内部には財布本体２４が内設されている。財布本体２４の中間部にはスマートフォン収容部３０が設けられている。このスマートフォン収容部３０はスマートフォン収容部形成シート３２を折り曲げた状態で配設することにより形成されている。このスマートフォン収容部形成シート３２の内側面にはフェルトシート３４が内張りされている。前記財布本体２４にはスマートフォン収容部３０を挟んで紙幣や硬貨等を収容する第１貨幣収容部４０と第２貨幣収容部４２が設けられている。【選択図】図３
0003177901.tif 000002
【実用新案登録請求の範囲】
【請求項１】
第１財布ケース部と第２財布ケース部を有すると共に開閉可能に形成された財布ケース体と、この財布ケース体に内設された財布本体と、この財布本体の内部に形成されると共にスマートフォンを収容できるスマートフォン収容部と、このスマートフォン収容部の内側面に配設されると共に柔軟素材で形成された柔軟シート体と、前記財布本体の内部に前記スマートフォン収容部と共に形成された貨幣収容部と、を有してなることを特徴とするスマートフォン収容部を備えた財布。
【請求項２】
第１財布ケース部と第２財布ケース部を有すると共に開閉可能に形成された財布ケース体と、この財布ケース体に内設された財布本体と、この財布本体の中間部に形成されると共にスマートフォンを収容できるスマートフォン収容部と、このスマートフォン収容部の内側面に配設されると共に柔軟素材で形成された柔軟シート体と、前記財布本体にスマートフォン収容部を挟んでそれぞれ形成された第１貨幣収容部及び第２貨幣収容部と、を有してなることを特徴とするスマートフォン収容部を備えた財布。
【請求項３】
第１財布本体側部と第２財布本体側部を有すると共に開閉可能に形成されてた財布本体と、この財布本体の第１財布本体側部に取り付けられると共に第１スマートフォン収容体側部と第２スマートフォン収容体側部を有するスマートフォン収容体と、このスマートフォン収容体の上辺に形成されてスマートフォン収容体の内部に形成されたスマートフォン収容部にスマートフォンを出し入れできるスマートフォン収容体開口部と、前記スマートフォン収容部の内側面に配設されると共に柔軟素材で形成された柔軟シート体と、前記第２スマートフォン収容体側部の上部に設けられたスマートフォン脱落防止バンドと、このスマートフォン脱落防止バンドの先端に設けられた係止具と、前記第１スマートフォン収容体側部に設けられると共に前記係止具と係止可能な被係止具と、を有してなることを特徴とするスマートフォン収容部を備えた財布。
【請求項４】
第１財布本体側部と第２財布本体側部を有すると共に開閉可能に形成された財布本体と、この財布本体の外側に配設されると共に折曲部を挟んで連続された第１財布外側カバー部、第２財布外側カバー部のうちの第２財布外側カバー部が前記第２財布本体側部の側面に取り付けられた財布外側カバーと、この財布外側カバーの内側に配設されると共に折曲部を挟んで連続形成された第１財布内側カバー部、第２財布内側カバー部のうちの第２財布内側カバー部が前記第１財布本体側部の側面に取り付けられ前記第１財布内側カバー部が前記第１財布外側カバー部に取り付けられた財布内側カバーと、前記第１財布内側カバー部に取り付けられたスマートフォン保持体と、このスマートフォン保持体と前記第１財布内側カバー部の間に形成されたスマートフォン収容部と、前記スマートフォン保持体の内側面に配設された柔軟素材で形成された柔軟シート体と、前記スマートフォン保持体に貫通形成されたスマートフォン操作用開口部と、前記財布本体に取り付けられた財布本体バンドと、この財布本体バンドに設けられた係止具と、前記第１財布外側カバー部に設けられると共に前記係止具と係止可能な被係止具と、を有してなることを特徴とするスマートフォン収容部を備えた財布。
【請求項５】
第１財布本体側部と第２財布本体側部を有すると共に開閉可能に形成された財布本体と、この財布本体の外側に配設されると共に折曲部を挟んで連続された第１財布外側カバー部、第２財布外側カバー部のうちの第２財布外側カバー部が前記第２財布本体側部の側面に取り付けられた財布外側カバーと、この財布外側カバーの内側に配設されると共に折曲部を挟んで連続形成された第１財布内側カバー部、第２財布内側カバー部のうちの第２財布内側カバー部が前記第１財布本体側部の側面に取り付けられ前記第１財布内側カバー部が前記第１財布外側カバー部に取り付けられた財布内側カバーと、前記第１財布内側カバー部に取り付けられたスマートフォン保持体と、このスマートフォン保持体と前記第１財布内側カバー部の間に形成されたスマートフォン収容部と、前記スマートフォン保持体に設けられたスマートフォン脱落防止バンドと、前記スマートフォン保持体の内側面とスマートフォン脱落防止バンドの内側面に配設された柔軟素材で形成された柔軟シート体と、前記スマートフォン保持体に貫通形成されたスマートフォン操作用開口部と、前記財布本体に取り付けられた財布本体バンドと、この財布本体バンドに設けられた係止具と、前記第１財布外側カバー部に設けられると共に前記係止具と係止可能な被係止具と、を有してなることを特徴とするスマートフォン収容部を備えた財布。
【考案の詳細な説明】
【技術分野】
【０００１】
本考案は、財布に関し、詳しくは紙幣、硬貨、カード等の収容部と別途にスマートフォンを収容する収容部を設けたスマートフォン収容部を備えた財布に関する。
【背景技術】
【０００２】
近年、現代人、特に若年層にとっては携帯電話やスマートフォンは生活必需品といっても過言でなく、携帯電話やスマートフォンを肌身離さず携帯している人が若年層を中心として急増している。
これらの人々は会社の昼休時間に食事に出かけたり、近くのコンビニに買物に行く等の一時的短時間的な外出でも携帯電話やスマートフォンを携帯している。
しかし、前記スマートフォンは携帯電話に比べて多機能であることから携帯電話よりも大型であり洋服のポケット等に収容しづらい。特に女性の服はファッション面からポケットが設けられていなかったり、ポケットが設けられていてもポケットが小さい場合が多いためスマートフォンを収容しづらいと共に服のポケットにスマートフォンを収容すると見栄えの点からファッション的にも好ましくないという不具合がある。
従って、一時的短時間的な外出でも財布と別途にスマートフォンを手に持って出かけているため煩雑である。
また、従来の財布にスマートフォン収容部を設けた場合、単にスマートフォン収容部を設けただけではスマートフォンの出し入れによりスマートフォンの液晶部に擦り傷等ができてしまうおそれがある。
【考案の概要】
【考案が解決しようとする課題】
【０００３】
本考案は、上記事実に鑑みなされたものであり、スマートフォンを専用に収容できるスマートフォン収容部を設けることにより財布とスマートフォンをそれぞれ手に持つという煩雑さを避けると共にスマートフォンを収容してもスマートフォンの液晶部に擦り傷等ができ難いスマートフォン収容部を備えた財布を提供するものである。
【課題を解決するための手段】
【０００４】
請求項１の考案は、第１財布ケース部と第２財布ケース部を有すると共に開閉可能に形成された財布ケース体と、この財布ケース体に内設された財布本体と、この財布本体の内部に形成されると共にスマートフォンを収容できるスマートフォン収容部と、このスマートフォン収容部の内側面に配設されると共に柔軟素材で形成された柔軟シート体と、前記財布本体の内部に前記スマートフォン収容部と共に形成された貨幣収容部と、を有してなることを特徴としている。
請求項２の考案は、第１財布ケース部と第２財布ケース部を有すると共に開閉可能に形成された財布ケース体と、この財布ケース体に内設された財布本体と、この財布本体の中間部に形成されると共にスマートフォンを収容できるスマートフォン収容部と、このスマートフォン収容部の内側面に配設されると共に柔軟素材で形成された柔軟シート体と、前記財布本体にスマートフォン収容部を挟んでそれぞれ形成された第１貨幣収容部及び第２貨幣収容部と、を有してなることを特徴としている。
請求項３の考案は、第１財布本体側部と第２財布本体側部を有すると共に開閉可能に形成されてた財布本体と、この財布本体の第１財布本体側部に取り付けられると共に第１スマートフォン収容体側部と第２スマートフォン収容体側部を有するスマートフォン収容体と、このスマートフォン収容体の上辺に形成されてスマートフォン収容体の内部に形成されたスマートフォン収容部にスマートフォンを出し入れできるスマートフォン収容体開口部と、前記スマートフォン収容部の内側面に配設されると共に柔軟素材で形成された柔軟シート体と、前記第２スマートフォン収容体側部の上部に設けられたスマートフォン脱落防止バンドと、このスマートフォン脱落防止バンドの先端に設けられた係止具と、前記第１スマートフォン収容体側部に設けられると共に前記係止具と係止可能な被係止具と、を有してなることを特徴としている。
請求項４の考案は、第１財布本体側部と第２財布本体側部を有すると共に開閉可能に形成された財布本体と、この財布本体の外側に配設されると共に折曲部を挟んで連続された第１財布外側カバー部、第２財布外側カバー部のうちの第２財布外側カバー部が前記第２財布本体側部の側面に取り付けられた財布外側カバーと、この財布外側カバーの内側に配設されると共に折曲部を挟んで連続形成された第１財布内側カバー部、第２財布内側カバー部のうちの第２財布内側カバー部が前記第１財布本体側部の側面に取り付けられ前記第１財布内側カバー部が前記第１財布外側カバー部に取り付けられた財布内側カバーと、前記第１財布内側カバー部に取り付けられたスマートフォン保持体と、このスマートフォン保持体と前記第１財布内側カバー部の間に形成されたスマートフォン収容部と、前記スマートフォン保持体の内側面に配設された柔軟素材で形成された柔軟シート体と、前記スマートフォン保持体に貫通形成されたスマートフォン操作用開口部と、前記財布本体に取り付けられた財布本体バンドと、この財布本体バンドに設けられた係止具と、前記第１財布外側カバー部に設けられると共に前記係止具と係止可能な被係止具と、を有してなることを特徴としている。
請求項５の考案は、第１財布本体側部と第２財布本体側部を有すると共に開閉可能に形成された財布本体と、この財布本体の外側に配設されると共に折曲部を挟んで連続された第１財布外側カバー部、第２財布外側カバー部のうちの第２財布外側カバー部が前記第２財布本体側部の側面に取り付けられた財布外側カバーと、この財布外側カバーの内側に配設されると共に折曲部を挟んで連続形成された第１財布内側カバー部、第２財布内側カバー部のうちの第２財布内側カバー部が前記第１財布本体側部の側面に取り付けられ前記第１財布内側カバー部が前記第１財布外側カバー部に取り付けられた財布内側カバーと、前記第１財布内側カバー部に取り付けられたスマートフォン保持体と、このスマートフォン保持体と前記第１財布内側カバー部の間に形成されたスマートフォン収容部と、前記スマートフォン保持体に設けられたスマートフォン脱落防止バンドと、前記スマートフォン保持体の内側面とスマートフォン脱落防止バンドの内側面に配設された柔軟素材で形成された柔軟シート体と、前記スマートフォン保持体に貫通形成されたスマートフォン操作用開口部と、前記財布本体に取り付けられた財布本体バンドと、この財布本体バンドに設けられた係止具と、前記第１財布外側カバー部に設けられると共に前記係止具と係止可能な被係止具と、を有してなることを特徴としている。
【考案の効果】
【０００５】
本考案のスマートフォン収容部を備えた財布は、財布にスマートフォン収容部が設けられているので財布とスマートフォンを別途に手に持つ必要がないので煩雑でないという優れた効果を有する。
本考案のスマートフォン収容部を備えた財布は、財布にスマートフォン収容部が設けられているので料金の支払い時にスマートフォンが邪魔にならないという優れた効果を有する。
本考案のスマートフォン収容部を備えた財布は、スマートフォンをスマートフォン収容部に出し入れしてもスマートフォンの液晶部に傷が付き難いという優れた効果を有する。  さらに、請求項４、請求項５の本考案は、上記優れた効果の他にスマートフォンをスマートフォン収容部に収容した状態でもスマートフォンを操作できるという優れた効果を有する。
【図面の簡単な説明】
【０００６】
【図１】第１実施例のスマートフォン収容部を備えた財布の全体斜視図である。
【図２】第１実施例のスマートフォン収容部を備えた財布を開いた状態の全体斜視図である。
【図３】第１実施例のスマートフォン収容部を備えた財布にスマートフォンを収容した状態を示す全体斜視図である。
【図４】第２実施例のスマートフォン収容部を備えた財布の全体斜視図である。
【図５】第２実施例のスマートフォン収容部を備えた財布を開いた状態の全体斜視図である。
【図６】第２実施例のスマートフォン収容部を備えた財布にスマートフォンを収容した状態を示す全体斜視図である。
【図７】第３実施例のスマートフォン収容部を備えた財布の全体斜視図である。
【図８】第３実施例のスマートフォン収容部を備えた財布を開いた状態の全体斜視図である。
【図９】第３実施例のスマートフォン収容部を備えた財布にスマートフォンを収容した状態を示す全体斜視図である。
【考案を実施するための形態】
【０００７】
考案を実施するために最良の形態の例として以下のような実施例を示す。
【実施例１】
【０００８】
図１〜図３には本考案に係るスマートフォン収容部を備えた財布の第１実施例が示されている。
図１に示されるように、スマートフォン収容部を備えた財布１０を構成する財布ケース体１２は財布ケース体折曲部１４を介して第１財布ケース部１６と第２財布ケース部１８が連続形成されている。この第１財布ケース部１６と第２財布ケース部１８の３辺にはファスナー２０が取り付けられている。従って、ファスナー２０のファスナースライダー２２をスライドさせることにより、前記財布ケース体１２を開閉できるようになっている。
図２に示されるように、前記財布ケース体１２の内部には財布ケース体１２と共にスマートフォン収容部を備えた財布１０を構成する財布本体２４が内設されている。
この財布本体２４の財布本体第１側部２６は前記第１財布ケース部１６と縫着され、財布本体２４の財布本体第２側部２８は前記第２財布ケース部１８と縫着されている。
前記財布本体２４の中間部にはスマートフォン収容部３０が設けられている。このスマートフォン収容部３０はスマートフォン収容部形成シート３２を断面Ｕ字状に折り曲げた状態で配設することにより形成されている。このスマートフォン収容部形成シート３２の内側面には柔軟素材としてのフェルトを薄いシート状にした柔軟シート体としてのフェルトシート３４が内張りされている。
従って、スマートフォン１をスマートフォン収容部３０に収容するとスマートフォン１はフェルトシート３４と当接するので、スマートフォン１を何回もスマートフォン収容部３０に出し入れしてもスマートフォン１の液晶部１Ａ（図３参照）には擦り傷等ができ難いようになっている。
前記スマートフォン収容部形成シート３２の一側部３２Ａは財布本体２４の第１マチ部３６と逢着され、スマートフォン収容部形成シート３２の他側部３２Ｂは財布本体２４の第２マチ部３８と逢着されている。
前記財布本体２４にはスマートフォン収容部３０を挟んで紙幣や硬貨等を収容する第１貨幣収容部４０と第２貨幣収容部４２が設けられている。
前記第１貨幣収容部４０にはクレジットカードやキャッシュカード等のカードを主に差し込むことができるカード用スリット４４が形成され、第２貨幣収容部４２にもクレジットカードやキャッシュカード等のカードを主に差し込むことができるカード用スリット４６が形成されている。
図１に示されるように、前記第１財布ケース部１６の外側にはポケット４８が形成されている。
【０００９】
次に、第１実施例のスマートフォン収容部を備えた財布１０の作用について説明する。
このスマートフォン収容部を備えた財布１０を開ける場合はファスナースライダー２２をスライドさせる。
そして、前記財布ケース体１２の第１財布ケース部１６と第２財布ケース部１８を互いに離間方向に開けると、図２に示されるようにスマートフォン収容部３０、第１貨幣収容部４０、第２貨幣収容部４２が開く。
従って、スマートフォン収容部３０にスマートフォン１を収容することができる。この場合、スマートフォン収容部３０を構成するスマートフォン収容部形成シート３２の内側面にはフェルト３２Ａが内張りされている。
このため、スマートフォン収容部３０にスマートフォン１を出し入れするたびにスマートフォンがフェルトシート３４に触れてもスマートフォン１の液晶部１Ａに擦り傷等ができ難いようになっている。
また、前記第１貨幣収容部４０、第２貨幣収容部４２には紙幣、硬貨、カード等を収容することができる。
従って、スマートフォン収容部３０と第１貨幣収容部４０、第２貨幣収容部４２は別途に形成されているので、スマートフォン１の出し入れ時には貨幣、カードを気にしなくてスマートフォン１を出し入れすることができ、貨幣やカードの出し入れ時にはスマートフォン１を気にしなくて貨幣やカードを出し入れすることができる。このため、貨幣やカード等を取り出す場合はスマートフォン１を気にしなくて、容易に貨幣やカード等を取り出したり収容したりすることができるので食事や買物等で料金を支払う場合にスマートフォン１を携帯していても煩雑でない。
前記スマートフォン収容部を備えた財布１０を閉じる場合はファスナースライダー２２をスライドさせて財布ケース体１２を閉じる（図１参照）。
この結果、スマートフォン収容部を備えた財布１０は、紙幣、硬貨、カード等だけでなくスマートフォン１も収容することができるので、財布と別途にスマートフォン１を手等に持つ必要がないので手軽で便利である。
また、スマートフォン収容部を備えた財布１０は、スマートフォン収容部３０にスマートフォン１を収容することができるので、食事や買物等の支払い時にスマートフォンが邪魔にならず支払いを行うことができる。
【００１０】
図４〜図６にはスマートフォン収容部を備えた財布の第２実施例が記載されている。なお、第１実施例のスマートフォン収容部を備えた財布１０と同一の構成は同一の符号を用いてその説明を省略する。
第２実施例のスマートフォン収容部を備えた財布５０の袋状の財布本体５２は第１財布本体側部５４と第２財布本体側部５６を有している。この財布本体５２の内部には紙幣、硬貨、カード等を収容できる貨幣収容部５８が形成されている。
前記第１財布本体側部５４と第２財布本体側部５６の上辺にはファスナー２０が取り付けられている。従って、ファスナー２０のファスナースライダー２２をスライドさせることにより、前記財布本体５２を開閉できるようになっている。
前記財布本体５２の第１財布本体側部５４には財布本体５２と共にスマートフォン収容部を備えた財布５０を構成する袋状のスマートフォン収容体６０が取り付けられている。
このスマートフォン収容体６０は第１スマートフォン収容体側部６２と第２スマートフォン収容体側部６４を有している。前記スマートフォン収容体６０の上辺にはスマートフォン収容体開口部６６が形成され、スマートフォン収容体開口部６６を介してスマートフォン収容体６０の内部に形成されたスマートフォン収容部６８にスマートフォン１を収容できるようになっている。このスマートフォン収容部６８の内側面にはフェルトシート３４が内張りされている。
図５に示されるように、前記第２スマートフォン収容体側部６４の上辺にはスマートフォン脱落防止バンド７０の基端部が取り付けられている。このスマートフォン脱落防止バンド７０の先端には係止具としてのボタン７２が取り付けられている。このボタン７２は前記第１スマートフォン収容体側部６２の外側上部に取り付けられた被係止具としてのボタン穴７４に係止可能になっている。
前記スマートフォン収容部を備えた財布５０を使用する場合はファスナースライダー２２をスライドさせることにより財布本体５２を開閉できるので、貨幣収容部５８に紙幣、硬貨、カード等を収容したり取り出したりすることができる。
スマートフォン１をスマートフォン収容体６０に収容する場合はスマートフォン脱落防止バンド７０のボタン７２を第１スマートフォン収容体側部６２のボタン穴７４から外してスマートフォン１をスマートフォン収容体開口部６６からスマートフォン収容部６８に収容する。このスマートフォン収容部６８の内側面にはフェルトシート３４が内張りされているのでスマートフォン１の液晶部１Ａ（図６参照）に擦り傷が付いたりするのを防止できる。
そして、スマートフォン脱落防止バンド７０のボタン７２を第１スマートフォン収容体側部６２のボタン穴７４に係止することによりスマートフォン収容部を備えた財布５０を逆にしたりしてもスマートフォン１がスマートフォン収容部６８から脱落するのを防止できる。
なお、他の作用、効果は第１実施例のスマートフォン収容部を備えた財布１０と同一であるのでその説明は省略する。
【００１１】
図７〜図９にはスマートフォン収容部を備えた財布の第３実施例が記載されている。なお、第１実施例のスマートフォン収容部を備えた財布１０、第２実施例のスマートフォン収容部を備えた財布５０と同一の構成は同一の符号を用いてその説明を省略する。
図７に示されるように、第３実施例のスマートフォン収容部を備えた財布８０の袋状の財布本体８２は第１財布本体側部８４と第２財布本体側部８６を有している。この財布本体８２の内部には紙幣、硬貨、カード等を収容できる貨幣収容部８８が形成されている。
前記第１財布本体側部８４と第２財布本体側部８６の３辺にはファスナー２０が取り付けられている。従って、ファスナー２０のファスナースライダー２２（図示せず）をスライドさせることにより、前記財布本体８２を開閉できるようになっている。
図８に示されるように、前記財布本体８２の外側には矩形状の財布外側カバー９０が配設されている。この財布外側カバー９０には折曲部９０Ａを挟んで第１財布外側カバー部９０Ｂと第２財布外側カバー９０Ｃが連続形成されている。この第２財布外側カバー部９０Ｃは前記第２財布本体側部８６の側面に縫着されている。
前記財布外側カバー９０の内側には矩形状の財布内側カバー９２が配設されている。この財布内側カバー９２には折曲部９２Ａを挟んで第１財布内側カバー部９２Ｂと第２財布内側カバー部９２Ｃが連続形成されている。この第２財布内側カバー部９２Ｃは前記第１財布本体側部８４の側面に縫着されている。また、第１財布内側カバー部９２Ｂは前記第１財布外側カバー部９０Ｂと縫着されている。
前記第１財布内側カバー部９２Ｂにはスマートフォン保持体９４が取り付けられている。このスマートフォン保持体９４と前記第１財布内側カバー部９２Ｂの間にはスマートフォン収容部９６が形成されている。また、スマートフォン保持体９４にはスマートフォン脱落防止バンド９８が設けられておりスマートフォン収容部９６に収容されたスマートフォン１が勝手に脱落しないようになっている。前記スマートフォン保持体９４の内側面とスマートフォン脱落防止バンド９８の内側面にはフェルトシート３４が裏張りされている。
なお、このスマートフォン脱落防止バンド９８の先端部は前記第１財布内側カバー部９２Ｂに形成されたバンド差込スリット（図示せず）に差し込まれるようになっている。
図９に示されるように、前記スマートフォン保持体９４にはスマートフォン操作用開口部１００が貫通形成されている。従ってスマートフォン１をスマートフォン収容部９６に収容した状態でもスマートフォン操作用開口部１００を介してスマートフォン１の液晶部１Ａにタッチしてスマートフォン１を操作したりスマートフォン１の液晶部１Ａを見ることができるようになっている。
前記第２財布内側カバー部９２Ｃにはクレジットカードやキャッシュカード等のカードを主に差し込むことができるカード用スリット１０２が形成されている。
また、前記財布本体８２には財布本体バンド１０４の基端部が取り付けられている。この財布本体バンド１０４の先端部には係止具としてのボタン７２（図７参照）が設けられており、前記第１財布外側カバー部９０Ｂに設けられた被係止具としてのボタン７４（図７参照）と嵌合可能となっている。
従って、前記財布本体バンド１０４のボタン７２を前記第１財布外側カバー部９０Ｂのボタン穴７４に係止することにより図７に示されるように財布本体８２とスマートフォン保持体９４を一体的にすることができる。
前記スマートフォン収容部を備えた財布８０は、スマートフォン１をスマートフォン収容部９６に収容した状態でもスマートフォン操作用開口部１００を介してスマートフォン１の液晶部１Ａにタッチできるのでスマートフォン１を操作したり、液晶部１Ａを見ることができるので、スマートフォン１を操作する場合にスマートフォン１をスマートフォン保持体９４から取り出す必要がないので便利である。
なお、他の作用、効果は第１実施例のスマートフォン収容部を備えた財布１０、第２実施例のスマートフォン収容部を備えた財布５０同一であるのでその説明は省略する。
【００１２】
なお、実施例では柔軟素材としてフェルトで形成されたフェルトシート３４を使用したが、柔らかい柔軟素材であればフェルトに限定されないことは勿論である。
また、実施例では係止具としてボタン７２を、被係止具としてボタン穴７４を示したが、係止具と被係止具はボタン７２、ボタン穴７４に限定されるものでなく、例えばマジックテープ（登録商標）等でもよいことは勿論である。
【産業上の利用可能性】
【００１３】
本考案のスマートフォン収容部を備えた財布は、スマートフォン以外に携帯電話を収容する場合にも使用することができる。
【符号の説明】
【００１４】
１０    スマートフォン収容部を備えた財布
１２    財布ケース体
１４    財布ケース体折曲部
１６    第１財布ケース部
１８    第２財布ケース部
２０    ファスナー
２２    ファスナースライダー
２４    財布本体
２６    財布本体第１側部
２８    財布本体第２側部
３０    スマートフォン収容部
３２    スマートフォン収容部形成シート
３２Ａ  一側部
３２Ｂ  他側部
３４    フェルトシート
３６    第１マチ部
３８    第２マチ部
４０    第１貨幣収容部
４２    第２貨幣収容部
４４    カード用スリット
４６    カード用スリット
４８    ポケット
【図１】
0003177901.tif 000003
【図２】
0003177901.tif 000004
【図３】
0003177901.tif 000005
【図４】
0003177901.tif 000006
【図５】
0003177901.tif 000007
【図６】
0003177901.tif 000008
【図７】
0003177901.tif 000009
【図８】
0003177901.tif 000010
【図９】
0003177901.tif 000011